(57)【要約】【課題】  思い出を残す作業は個人でしか出来なかった為、困難だった。又、文明が進み、コミュニケーション不足という問題も出来た。【解決手段】  携帯電話ｏｒパソコン等で自由にアクセス出来るサイトを開設し、思い出を残したい人の声や音、画像や動画等をサイトへアクセスすることで、収録・保管出来る様にして、その際、携帯電話ｏｒパソコン等から質問が流れ、ユーザーが答えると、今行った質疑応答が収録される様にする。尚、ユーザーが期間を決め、期間満了時に案内が届く様にする。更に、インターネットが苦手な人の為、収録が出来、操作も簡単な機械を設置し、上記作業が簡単に行える様にする。数年後、忘れた頃に案内が届き、ユーザーが携帯電話ｏｒパソコン等で確認することが出来る様にする。ユーザーが数年前の声や音、画像や動画を確認すると、懐かしさや初々しさ、喜びは勿論、友人・恋人・複数で本システムを使用すれば、コミュニケーションのきっかけになる。【選択図】図２
2010113698.tif 000002
【特許請求の範囲】
【請求項１】
携帯電話ｏｒパソコン等で２４時間、簡単に自由にアクセス出来るサイトを開設し、恋人・家族・友人等、思い出を残したいユーザーの声や音、画像や動画等をサイトにアクセスすることで、簡単に収録、保管出来る様にする。その際、携帯電話ｏｒパソコン等からガイダンスが流れ、いくつかの質問が出される。携帯電話ｏｒパソコン等からの質問に答えると、今行った質疑応答が収録される様にする。そして、思い出を残したいユーザーが期間を決め、期間満了時の案内方法を選ぶことにより、収録したデータを期間満了時に思い出を残したいユーザーへ案内し、思い出を残したいユーザーが確認出来る様にする。従来、思い出を残すという作業は、個人ですることしか出来なかった為、疎かになっていたが、本システムを使用することにより完璧にすることが出来る。尚、忘れてた頃に案内が届く為、それをきっかけに恋人や友人、家族等の絆が深まることに繋がり、コミュニケーション不足の解消に繋がる。尚且つ、必要な場合には、データを思い出を残したいユーザーへ提供出来る様にしている為、より一層のコミュニケーションを深めることが可能となる。更に、インターネットが苦手な方の為に、収録が出来、上記サイトへ繋がるオンラインコンピューターを搭載した、カメラ・モニター・スピーカー・スタートボタン・マイクのついた機械を人の集まる所に設置し、スタートボタンを押すと、モニターに説明文が映り、説明文の通りに保管期間と案内方法に使うアドレスを打ち込むと、カメラの録画が始まり、スピーカーからいくつかの質問が出され、マイクに向かって答えると、今行った質疑応答の画像と声が収録され、サイトへ転送され、保管・管理を行い、期間満了時に案内を送るシステムを作ることにより、インターネットが苦手な方にも、大切な想いや思い出の保護を可能にして、癒し、喜び、気付きを得ること他、複数で収録することにより、コミュニケーションのきっかけにもなり、大事な思い出を楽しむことが出来る様にしたものである。
【発明の詳細な説明】
【技術分野】
【０００１】本発明は、従来、個人的に行うことしか出来なかった為に疎かにそして、困難だった大切な想いや思い出の保護を簡単に完璧にする為に、インターネット上にサイトを開設し、携帯電話ｏｒパソコン等で自由にアクセスし、声・音・画像・動画を収録出来る様にして、アクセスすると、携帯電話ｏｒパソコン等からガイダンスが流れ、いくつかの質問が出される。携帯電話ｏｒパソコン等からの質問に答えると、今行った質疑応答が収録され、期間を決め、保管・管理を行い、期間満了時に案内を送るシステムを作り、大切な想いや思い出の保護を可能にして、癒し、喜び、気付きを得ること他、複数で収録することにより、コミュニケーションのきっかけにもなるので、大事な思い出を楽しむことが出来る様にしたものである。更に、インターネットが苦手な方の為に、収録が出来、サイトへ繋がるオンラインコンピューターを搭載した、カメラ・モニター・スピーカー・スタートボタン・マイクのついた機械を人の集まる所に設置し、スタートボタンを押すと、モニターに説明文が映り、説明文の通りに保管期間とアドレスを打ち込むと、カメラの録画が始まり、スピーカーからいくつかの質問が出され、マイクに向かって答えると、今行った質疑応答の画像と声が収録され、サイトへ転送され、保管・管理を行い、期間満了時に案内を送るシステムを作ることにより、インターネットが苦手な方にも、大切な想いや思い出の保護を可能にして、癒し、喜び、気付きを得ること他、複数で収録することにより、コミュニケーションのきっかけにもなり、大事な思い出を楽しむことが出来る様にしたものである。
【背景技術】
【０００２】従来は、大切な想いや思い出を収録・保護等をしてくれるシステム、機関はなかった。
【発明の開示】
【発明が解決しようとする課題】
【０００３】従来は、思い出や記念になる物は個人的に保管するほかなかった。よって、紛失や劣化等がおこり、大切な思い出の保護が困難だった。本発明は、この課題の解消と、昨今、不足なコミュニケーション不足の解消にも繋がるものである。
【課題を解決するための手段】
【０００４】インターネット上に携帯電話ｏｒパソコン等で自由にアクセス出来るサイトを開設し、アクセスすると携帯電話ｏｒパソコン等からガイダンスが流れ、いくつかの質問が出される。質問に答えると、今行った質疑応答が、三分から五分程度、声・音・画像・動画を収録する事が出来るシステムを作る。そして、収録したユーザーに、期間満了時にＥメール・ダイレクトメール等で案内を送り、収録したユーザーが思い出せる様にして、収録されたデータをユーザーに提供出来る様にした。更に、インターネットが苦手な方の為に、収録が出来、サイトへ繋がるオンラインコンピューターを搭載した、カメラ・モニター・スピーカー・スタートボタン・マイクのついた機械を人の集まる所に設置し、スタートボタンを押すと、カメラの録画が始まり、スピーカーからいくつかの質問が出され、マイクに向かって答えると、今行った質疑応答が、三分から五分程度、声・音・画像・動画が収録され、データはサイトへ転送され、三年・五年・十年、と期間を決め、保管・管理を行い、期間満了時に案内を送るシステムを作る。そして、収録したユーザーに、期間満了時にＥメール・ダイレクトメール等で案内を送り、収録したユーザーが思い出せる様にして、収録されたデータをユーザーに提供出来る様にした。
【発明の効果】
【０００５】その時しか感じれない想いのこもった言葉や笑顔、動画や画像を個人的レベルでは大半は疎かになってしまうが、インターネットを用いて、プロとして管理・提供、並びに案内出来るシステムを作る事により、全ての人が簡単に思い出を残し、思い出を楽しむ事が出来る。更に、インターネットが苦手な方の為に、収録が出来、サイトへ繋がるオンラインコンピューターを搭載した、カメラ・モニター・スピーカー・スタートボタン・マイクのついた機械を作り、インターネットが出来る人も出来ない人も、思い出の管理をプロに任せれるので、喜びや癒しは勿論、昨今、不足がちとなったコミュニケーション不足の解消にも繋がる。
以下、本発明の実施の形態について説明する。
（イ）携帯電話ｏｒパソコン等で、２４時間、自由で簡単にアクセス出来るサイトを設ける。
（ロ）思い出を残したいユーザーがサイトにアクセスし、声や音、画像や動画、残したい物を選び、確認したい期間を選べるシステムにする。
（ハ）思い出を残したいユーザーが録音・録画を行う際、携帯電話ｏｒパソコン等より質問が始まるので、思い出を残したいユーザーが答え、その質疑応答が収録されるシステムにする。
（ニ）思い出を残したいユーザーが収録したデータをサーバーへ保管し、ユーザーが決めた期間満了時にＥメール、ダイレクトメールにより案内が届くようにする。
（ホ）案内が届いたユーザーが、携帯電話ｏｒパソコン等で簡単に確認し楽しむ事が出来る様にする。
（ヘ）確認したユーザーは、癒し、喜びなど心のゆとりが生まれ、同時に、共に収録した恋人、友人、家族等とコミュニケーションがおこる。
（ト）喜び、コミュニケーションを深める為、必要に応じ、データを携帯電話ｏｒパソコン等へダウンロード出来る様に、更に、ＣＤ−Ｒ、ＤＶＤ−Ｒ等に収録し、ユーザーへ提供出来る様にする。
（チ）インターネットが苦手な方の為に、収録が出来、サイトへ繋がるオンラインコンピューターを搭載した、カメラ・モニター・スピーカー・スタートボタン・マイクのついた機械を設置する。
（リ）思い出を残したいユーザーがスタートボタンを押すと、モニターに説明文が映り、確認したい期間を選べるようにする。
（ヌ）次に、再びモニターの説明文を読み、お知らせ方法を選びアドレスを打ち込む。
（ル）上記（ヌ）の作業が終わると、カメラの撮影が始まり、スピーカーから質問が始まるのでマイクに向かって答えると、その質疑応答が収録される様にする。
（ヲ）収録されたデータを機械本体を通し、サイトへ転送される。
（ワ）サイトに届いた収録したデータをサーバーへ保管し、ユーザーが決めた期間満了時にＥメール、ダイレクトメールにより案内が届くようにする。
（カ）案内が届いたユーザーが、携帯電話ｏｒパソコン等で簡単に確認し楽しむ事が出来る様にする。
（ヨ）確認したユーザーは、癒し、喜びなど心のゆとりが生まれ、同時に、共に収録した恋人、友人、家族等とコミュニケーションがおこる。
（タ）喜び、コミュニケーションを深める為、必要に応じ、データを携帯電話ｏｒパソコン等へダウンロード出来る様に、更に、ＣＤ−Ｒ、ＤＶＤ−Ｒ等に収録し、ユーザーへ提供出来る様にする。
【実施例１】
【０００６】恋人同士で想いが高まった時、人それぞれではあるが、誕生日・記念日等でその時の気持ちや想いを残したい、そう思った時、身近にある［図面１］３、携帯電話ｏｒパソコン等を使い、［図面１］１、サイトへアクセスする。今回は携帯電話を使う。サイトの説明文に従い、［図面１］４、残したい物を選ぶ。今回は、声を残したいので“声を残す”と選ぶ。次に、［図面１］５、期間を選ぶ。今回は、“三年後”と選ぶ。次に、［図面１］６、お知らせ方法を選ぶ。今回は、メールアドレスを打ち込む。そのサイト上の作業を終わらせると、［図面１］７、携帯電話ｏｒパソコン等よりガイダンスが流れ、質問が流れるので質問に答える。例えば、「あなたの名前は？」と、質問が流れるのに対し、「僕の名前は太郎です。」「私の名前は花子です。」と答える。次に、「あなたが一番大事なものは？」との質問に対し、「花子から貰った手紙です。」「太郎さんを愛する気持ちです。」等、思い思いの質疑応答を録音する。［図面１］７、録音された言葉は、［図面１］８、サイト運営スタッフにより確認作業が行われ、サーバーに保管される。三年の月日が流れ、録音した恋人達も忘れてた頃に、今回は［図面１］６、お知らせ方法でメールアドレスを打ち込んでいるので、［図面１］９、期間満了時にＥメールでお知らせが届く。思い出した恋人達は、［図面１］１０、携帯電話ｏｒパソコン等で三年前の声を聞くことが出来る。すると、［図面１］１１、懐かしさや初々しさなどが恋人同士にこみ上げてき、より愛が深まったり、出会った頃を思い出し、再びコミュニケーションが密になっていく。今回、恋人同士は三年前の愛や想いのこもった声を保管したいので、サイトにアクセスし、［図面１］１２、データを請求して提供をしてもらう。データは、サイト運営スタッフによりＣＤ−Ｒに収録され、郵送で恋人達の元へ届けられる。恋人達は嬉しい時間はもちろん、喧嘩した辛い時なども、［図面１］１２で提供してもらった収録データを聞き、喜びは一層盛り上がり、辛く悲しい時は立ち直るきっかけとなる。
【実施例２】
【０００７】［図面２］１、インターネットが苦手な方の為に、収録が出来、サイトへ繋がるオンラインコンピューターを搭載した、カメラ・モニター・スピーカー・スタートボタン・マイクのついた機械を人の集まる所に設置し、家族で出掛けた日に、今の想いを残そうと思った時、［図面２］１、機械本体の［図面２］５、スタートボタンを押す。［図面２］３、モニターに説明文が映るので説明文を読み、［図面２］８、収録したものをいつ聞きたいかを選ぶ。今回は“三年後”と選ぶ。次に、［図面２］３、モニターの説明文を読み、［図面２］９、お知らせ方法を選ぶ。今回は、住所を打ち込む。作業が終わると、［図面２］２、カメラの撮影が始まり、［図面２］４、スピーカーから質問が始まるので、［図面２］６、マイクに向かって答える。例えば、「あなたの名前は？」と、質問が流れるのに対し、「母、良子です。」「長男、一男です。」と答えると、「家族で一番好きなのは誰ですか？」との質問に対し、「一男が一番好きです。」「僕もママが一番好きです。」等、思い思いの質疑応答を録音する。［図面２］１０、録音された質疑応答は、［図面２］１、機械本体より、［図面２］１１、サイトへ転送され、［図面２］１２、サイト運営スタッフにより確認作業が行われ、サーバーに保管される。三年の月日が流れ、録音した家族達も忘れてた頃に、今回は［図面２］９、お知らせ方法で住所を打ち込んでいるので、［図面２］１３、期間満了時にダイレクトメールでお知らせが届く。思い出した家族達は、［図面２］１４、携帯電話ｏｒパソコン等で三年前の声を聞くことが出来る。すると、［図面２］１５、懐かしさや初々しさなどが家族にこみ上げてき、より愛が深まったり、幼き頃を思い出し、再びコミュニケーションが密になっていく。今回、家族は三年前の愛や想いのこもった声を保管したいので、［図面１］１、サイトにアクセスし、［図面２］１６、データを請求して提供をしてもらう。今回は、携帯電話にダウンロードする。家族で喧嘩した時、それ以外でも落ち込んだ時などに、今回ダウンロードしたデータを聞き、喜びは一層盛り上がり、辛く悲しい時は立ち直るきっかけとなる。
【図面の簡単な説明】
【０００８】
【図１】本発明のサイト部分、収録までの流れと、サイト運営スタッフの作業、及びユーザーの確認等の流れである。
【図２】本発明の、インターネットが苦手な人用の、機械を使った収録までの流れと、サイト運営スタッフの作業、及びユーザーの確認等の流れである。
【符号の説明】
【０００９】［図１］
１    サイトを設ける。
２    思い出を残したいユーザー。
３    普段使用している携帯電話ｏｒパソコン等を使い、サイトにアクセスする。
４    サイトの説明文を読み、思い出に残したい物を選ぶ。
５    サイトの説明文を読み、録音・録画したものを、いつ聞きたい・見たいかを選ぶ。
６    サイトの説明文を読み、お知らせ方法を選び、アドレスを打ち込む。
７    携帯電話ｏｒパソコン等よりガイダンスが流れ、質問が始まるので質問に答え、その質疑応答を録音・録画する。
８    思い出を残したいユーザーが収録したデータは確認され、サーバーに保管される。
９    期間満了時、Ｅメール・ダイレクトメール等により案内がユーザーへ届く。
１０  携帯電話ｏｒパソコン等によりユーザーは、確認し楽しむことが出来る。
１１  癒し、喜び、気付き等、コミュニケーションがおこる。
１２  必要に応じ、データを提供する。
［図２］
１    ［図面１］１、サイトに繋がるオンラインコンピューターが搭載された、収録機能付き機械本体。
２    カメラ。
３    モニター。
４    スピーカー。
５    スタートボタン。
６    マイク。
７    スタートボタンを押すと、モニターに説明文が映る。
８    モニターの説明文を読み、録音・録画したものを、いつ聞きたい・見たいかを選ぶ。
９    モニターの説明文を読み、お知らせ方法を選び、アドレスを打ち込む。
１０  カメラの撮影が始まり、スピーカーから質問が始まるので、マイクに向かって答えると、その質疑応答が収録される。
１１  ［図面２］１０で収録されたデータは機械本体を通し、［図面１］、サイトへ転送される。
１２  思い出を残したいユーザーが収録したデータは確認され、サーバーへ保管される。
１３  期間満了時、Ｅメール・ダイレクトメール等により案内がユーザーへ届く。
１４  携帯電話ｏｒパソコン等によりユーザーは、確認し楽しむことが出来る。
１５  癒し、喜び、気付き等、コミュニケーションがおこる。
１６  必要に応じ、データを提供する。
【図１】
2010113698.tif 000003
【図２】
2010113698.tif 000004